(57)【特許請求の範囲】
【請求項１】
建物内無線通信ネットワークのセクタを構成する方法であって、
少なくとも１つの建物内無線トランシーバを第１セクタから第２セクタに移行させること含み、前記移行は、前記少なくとも１つの無線トランシーバが第１データ信号と第２データ信号との加重和を送信する移行期間中に実行され、前記第１データ信号は前記第１セクタに関連し、前記第２データ信号は前記第２セクタに関連し、前記加重和は、前記移行期間中に、前記第１データ信号の信号強度が減少し、前記第２データ信号の信号強度が増加するように変化する、方法。
【請求項２】
前記移行期間の始めに、前記第１データ信号の前記信号強度が前記第２データ信号の前記信号強度より大きい、請求項１に記載の方法。
【請求項３】
前記移行期間の終りに、前記第１データ信号の前記信号強度が前記第２データ信号の前記信号強度より小さい、請求項２に記載の方法。
【請求項４】
前記移行期間の前記終りに、前記第１データ信号の前記信号強度が０にされる、請求項３に記載の方法。
【請求項５】
前記移行は、
前記第１データ信号に第１重みを適用することを含み、前記第１重みは、前記移行期間中に第１値から第２値に徐々に減少し、さらに、
前記第２データ信号に第２重みを適用することを含み、前記第２重みは、前記移行期間中に前記第２値から前記第１値に徐々に増加し、さらに、
前記第１データ信号および前記第２データ信号の前記加重和を生成するために、前記重み付けされた第１データ信号および第２データ信号を組み合わせ、そして、
前記少なくとも１つの無線トランシーバに前記第１データ信号および前記第２データ信号の前記加重和を送信する、ことをさらに含む請求項１に記載の方法。
【請求項６】
少なくとも１つの無線トランシーバを第１セクタから第２セクタに移行させることによって無線通信ネットワークのセクタを構成する方法であって、
前記少なくとも１つの無線トランシーバによって、第１データ信号と第２データ信号との加重和を送信することを含み、前記第１データ信号は無線ネットワークの第１セクタに関連し、前記第２データ信号は無線ネットワークの第２セクタに関連し、前記加重和は、移行期間中に、前記第１データ信号の信号強度が減少し、前記第２データ信号の信号強度が増加するように変化する、方法。
【請求項７】
前記移行期間の始めに、前記第１データ信号の前記信号強度が前記第２データ信号の前記信号強度より大きい、請求項６に記載の方法。
【請求項８】
前記移行期間の終りに、前記第１データ信号の前記信号強度が前記第２データ信号の前記信号強度より小さい、請求項７に記載の方法。
【請求項９】
前記移行期間の前記終りに、前記第１データ信号が０にされる、請求項８に記載の方法。
【請求項１０】
さらに、前記第１データ信号に第１重みを適用することを含み、前記第１重みは前記移行期間中に第１値から第２値に徐々に減少し、さらに、
前記第２データ信号に第２重みを適用することを含み、前記第２重みは、前記移行期間中に前記第２値から前記第１値に徐々に増加し、さらに、
第１データ信号および第２データ信号の前記加重和を生成するために、重み付けされた第１データ信号および第２データ信号を組み合わせる、ことを含む請求項６に記載の方法。
【請求項１１】
第１無線トランシーバを第１セクタから第２セクタに移行させることによって無線通信ネットワークのセクタを構成する方法であって、
第１の結果の加重信号を生成するために第１加重データ信号と第１データ信号とを第１に組み合わせることを含み、前記第１加重データ信号は移行する無線トランシーバに関連し、前記第１データ信号は第１無線トランシーバに関連し、前記第１加重データ信号は第１重みを用いて調整され、前記第１重みは、移行期間中に徐々に減り、さらに、
第２の結果の加重信号を生成するために第２加重データ信号と第２データ信号とを第２に組み合わせることを含む、前記第２加重データ信号は前記移行する無線トランシーバに関連し、前記第２データ信号は前記第２セクタ内の第２無線トランシーバに関連し、前記第２加重データ信号は第２重みを用いて調整され、前記第２重みは移行期間中に徐々に増え、さらに、
前記移行する無線トランシーバが前記第１セクタから前記第２セクタに移行するまで、前記第１および第２の結果の加重信号を送信する、ことを含む方法。
【請求項１２】
さらに、第１の複製されたデータ信号および第２の複製されたデータ信号を生成するために第１無線トランシーバから受信された第１データ信号を複製し、
前記第１の複製されたデータ信号および第１利得パラメータに基づいて前記第１加重データ信号を第１に生成し、
前記第２の複製されたデータ信号および第２利得パラメータに基づいて前記第２加重データ信号を第２に生成する、ことを含む請求項１１に記載の方法。
【請求項１３】
前記第１加重データを第１に生成することは、
前記第１利得パラメータを使用して前記第１の複製されたデータ信号を利得調整することをさらに含む、請求項１２に記載の方法。
【請求項１４】
前記第１利得パラメータは前記移行期間中に経時的に増加しまたは減少する、請求項１３に記載の方法。
【請求項１５】
前記移行期間の終りに、前記第１加重データ信号が０にされる、請求項１３に記載の方法。
【請求項１６】
前記第２加重データを第２に生成することは、
前記第２利得パラメータを使用して前記第２の複製されたデータ信号を利得調整することをさらに含む、請求項１２に記載の方法。
【請求項１７】
前記第２利得パラメータは前記移行期間中に経時的に増加しまたは減少する、請求項１６に記載の方法。
【請求項１８】
前記移行期間の始めに、前記第１加重データ信号の信号強度は前記第２加重データ信号の信号強度より大きい、請求項１１に記載の方法。
【請求項１９】
前記移行期間の終りに、前記第１加重データ信号の信号強度は前記第２加重データ信号の信号強度より小さい、請求項１８に記載の方法。
【発明の詳細な説明】
【背景技術】
【０００１】
従来、基地トランシーバ局とモバイル・ユニットとの間の信号品質は、ある種の条件の下で劣化する場合がある。たとえば、あるユーザが屋外位置から屋内位置（たとえば、建物）に移動する時に、無線信号強度は、無線信号がさまざまな障害物（たとえば、壁、天井など）を通過するかよけなければならないので、大きく劣化する場合がある。Ｆｅｄｅｒ他の米国特許出願第１０／８８４，２０３号およびＷｉｊｎｇａａｒｄｅｎ他の米国特許出願第１１／４３５，６６５号では、セルラまたは他の無線信号／メッセージに対応するデータ・パケットを高速データ・ネットワーク上で送信することによって、これらの信号を建物または他の位置に導入する方法および装置が議論されている。
【０００２】
図１に、米国特許出願第１０／８８４，２０３号および米国特許出願第１１／４３５，６６５号に記載のものなどの従来の建物内通信ネットワークを示す。図１のネットワークでは、基地局インターフェース（ＢＳＩ）１２Ａ、１４Ｂ、無線ディストリビュータ／アグリゲータ（ｒａｄｉｏ  ｄｉｓｔｒｉｂｕｔｏｒ／ａｇｇｒｅｇａｔｏｒ）（ＲＤＡ）１１０、リモート無線ヘッド（ｒｅｍｏｔｅ  ｒａｄｉｏ  ｈｅａｄ）（ＲＲＨ）１１１〜１１５、および複数のモバイル・ユニット（モバイル・ユニット１１９を含む）が、建物の中に置かれる場合がある。基地トランシーバ局（ＢＴＳ）１００は、これらの建物内ネットワーク・コンポーネントから地理的に分離される場合がある。
【０００３】
図１を参照すると、ダウンリンク（たとえば、ＢＴＳ１０からモバイル・ユニット１１９へ）では、無線信号は、ＢＳＩ１２ＡでＢＴＳ１０から受信される。ＢＳＩ１２Ａは、無線信号を処理して、モバイル・ユーザ符号化された（ｍｏｂｉｌｅ  ｕｓｅｒ−ｃｏｄｅｄ）ベースバンド信号（以下ではデータ信号）を生成し、生成されたデータ信号をバッファ（図示せず）に格納する。バッファが所与のしきいレベルに達した後または所与の長さの時間が経過した後に、ＢＳＩ１２Ａは、データ信号をパケット化して（たとえば、１つまたは複数のイーサネット・パケットに）、１つまたは複数のＲＲＨ（たとえば、セクタＡに対応するＲＲＨ１１１〜１１３）に対応する宛先アドレス（たとえば、ＭＡＣアドレス）を含むデータ・パケット（または、データ・パケット・ストリーム）を生成する。ＢＳＩ１２Ａは、ギガビット・イーサネット・ネットワークなどの高速データ・ネットワークを介してデータ・パケットをＲＤＡ１１０に転送する。
【０００４】
周知のとおり、ＲＤＡ１１０は、複数のポートを有するネットワーク・スイッチとして働く。ＲＤＡ１１０上の各ポートは、ＢＳＩ１２Ａおよび１４ＢとＲＲＨ１１１〜１１５との間でデータ・パケットをルーティングするための１つまたは複数のアドレス可能セクタに対応することができる。１つまたは複数のＲＲＨが、特定のセクタに属することができる。図１に関して、たとえば、ＲＲＨ１１１〜１１３はセクタＡに属するが、ＲＲＨ１１４および１１５はセクタＢに属する。各ＲＲＨは、建物内の無線カバレージの１エリアに対応し、これを提供する。
【０００５】
さらに図１を参照すると、ＲＤＡ１１０は、ＢＳＩ１２ＡからセクタＡに対応するアドレスを有するデータ・パケットを受信し、ＲＤＡ１１０のどのポートがセクタＡ内のＲＲＨに関連するのかを識別する。一例では、ＲＤＡ１１０は、受信されたアドレスをルックアップ・テーブル内のエントリと比較することによって、これらのポートを識別する。この周知のルックアップ手順は、特殊なマルチキャスト・アドレスを使用すること、または特定のセクタに属するすべてのＲＲＨを同一の仮想ＬＡＮ（ＶＬＡＮ）の一部にし、パケットをそのＶＬＡＮ上でブロードキャストすることなど、さまざまな既存イーサネット・プロトコルを使用することができる。
【０００６】
ＲＤＡ１１０が、セクタＡに対応するポートを識別した後に、ＲＤＡ１１０は、データ・パケットを複製し（必要な場合に）、各データ・パケットのコピーを適当なＲＲＨ１１１〜１１３に転送する。この例では、ＲＤＡ１１０は、受信されたデータ・パケットを複製し、モバイル・ユニット１１９にサービスするＲＲＨ１１１〜１１３に送信する。
【０００７】
周知のとおり、各ＲＲＨ１１１〜１１５は、ネットワーク・インターフェース機器、タイミングおよび周波数同期化機器、信号処理要素、電力増幅器、および１つまたは複数のアンテナを含む。宛先ＲＲＨ（たとえば、ＲＲＨ１１１〜１１３）のネットワーク・インターフェース機器は、ＲＤＡ１１０からデータ・パケットを受信し、バッファリングし、パケット・ヘッダを除去し、データ・パケットを処理して、データ信号を回復する。
【０００８】
データ信号は、当技術分野で周知のとおり、バッファリングされ、処理され、ＲＦ信号に変換され、増幅され、アンテナ（１つまたは複数）を介して無線でブロードキャストされる。
【０００９】
さらに図１を参照すると、アップリンクでは、セクタＡ内のモバイル・ユニットが、無線信号をＲＲＨ１１１〜１１３に送信する。ＲＲＨ１１１〜１１３のそれぞれは、ＢＳＩ１２Ａがダウンリンク無線信号を処理してデータ信号を生成するのと同一の形で、受信した無線信号を処理する。ＲＲＨ１１１〜１１３のそれぞれは、生成されたデータ信号をＢＳＩ１２Ａと同一の形でバッファリングし、その後、パケット化して、複数のデータ・パケットを生成もする。ＲＲＨ１１１〜１１３は、アップリンク・データ・パケットを高速データ・ネットワークを介してＲＤＡ１１０に送信する。
【００１０】
ＲＤＡ１１０は、データ・パケットをバッファリングし、処理して、アップリンク・データ信号を回復し、ＲＲＨ１１１〜１１３のそれぞれからのデータ信号を組み合わせて、結果のアップリンク・データ信号を生成する。結果のアップリンク・データ信号は、再パケット化され、ＢＳＩ１２Ａに転送される。
【００１１】
ＢＳＩ１２Ａは、受信したデータ・パケットを処理して、結果のアップリンク・データ信号を回復し、そのデータ信号をさらに処理して、ＢＴＳ１０に送信される無線信号を生成する。
【先行技術文献】
【特許文献】
【００１２】
【特許文献１】米国特許出願第１０／８８４，２０３号
【特許文献２】米国特許出願第１１／４３５，６６５号
【発明の概要】
【発明が解決しようとする課題】
【００１３】
上で述べたように、ＲＲＨを、セクタにグループ化することができる。各セクタ内のＲＲＨは、同一のダウンリンク信号を同時放送することができ、各ＲＲＨから受信されるアップリンク信号は、一緒に組み合わされて、ＢＴＳ１０に送信される単一アップリンク信号を形成することができる。従来、建物内のセクタを、ソフトウェア構成を使用して変更することができる。ある種の状況では、変化するユーザ・トラフィック密度に合わせるために異なるセクタのカバレージを動的に変更することが望ましい場合がある。
【００１４】
たとえば、ホット・スポットが、単一のセクタに属するＲＲＨのグループによってカバーされるあるエリアにまたがって展開される時に、そのグループ内のＲＲＨの一部を再構成して、別のセクタに参加させ、トラフィック負荷をそのセクタに流すことができる。しかし、再構成が突然に実行される場合に、セクタを切り替えるＲＲＨによってサービスされるユーザは、サービスの中断を経験する場合がある。
【課題を解決するための手段】
【００１５】
例示的実施形態は、建物内通信ネットワーク内のセクタをよりスムーズに再構成する方法を提供する。
【００１６】
１つの例示的実施形態では、リモート無線ヘッド（ＲＲＨ）を、２つの関連する基地局インターフェース（ＢＳＩ）からのダウンリンク・データ信号の加重和を送信するように構成することができる。少なくともこの例示的実施形態では、移行期間中に、組み合わされたダウンリンク・データ信号の重みを、セクタのカバレージの滑らかなシフトをシミュレートするために徐々に調整することができる。これは、基地トランシーバ局が、サービスの中断を抑制しながら、第１セクタから第２セクタへユーザをハンド・オーバすることを可能にすることができる。
【００１７】
例示的実施形態によれば、移行期間中に、第１セクタから第２セクタに移行する１つまたは複数のリモート無線ヘッド（ＲＲＨ）を、セクタのそれぞれの仮想ローカル・エリア・ネットワーク（ＶＬＡＮ）に割り当てることができる。その結果、移行するＲＲＨは、両方のセクタからダウンリンク・ブロードキャスト信号を受信でき、加重和を、ＲＲＨ内でローカルに実行することができる。代替案では、加重和を、無線ディストリビュータ／アグリゲータ（ＲＤＡ）またはスイッチ内で実行することができる。さらに、各セクタのＢＳＩが、同一の回路基板上で物理的に統合される場合には、加重和をＢＳＩで実行することができる。この例示的実施形態では、新しい仮想ＬＡＮを作成して、結果の組み合わされた信号を搬送することができ、移行する無線ヘッドを、新しい信号を受信するために新しい仮想ＬＡＮに割り当てることができる。
【００１８】
もう１つの例示的実施形態によれば、アップリンクで、移行期間中に、移行するＲＲＨからの信号を、各セクタの結果のアップリンク信号に組み合わせることができる。結果の信号は、移行するＲＲＨと、第１セクタおよび第２セクタのそれぞれのＲＲＨとによってサービスされるモバイル・ユニットからのアップリンク・データ信号の加重和とすることができる。加重和の重みは、２つのセクタのアップリンク・カバレージでの相対的にスムーズなシフトをシミュレートするために、徐々に調整することができる。
【００１９】
例示的実施形態による方法では、少なくとも１つの建物内無線トランシーバが、第１セクタから第２セクタに移行することができる。移行ステップは、少なくとも１つの無線トランシーバが第１データ信号と第２データ信号との加重和を送信する移行期間中に実行され得る。第１データ信号は、第１セクタに関連することができ、第２データ信号は、第２セクタに関連することができる。加重和は、移行期間中に、第１データ信号が信号強度において減少し、第２データ信号が信号強度において増加するように変化することができる。
【００２０】
方法のもう１つの例示的実施形態では、少なくとも１つの無線トランシーバは、第１データ信号と第２データ信号との加重和を送信することができる。第１データ信号は、無線ネットワークの第１セクタに関連することができ、第２データ信号は、無線の第２セクタに関連することができる。加重和は、移行期間中に、第１データ信号が信号強度において減少し、第２データ信号が信号強度において増加するように変化することができる。
【００２１】
もう１つの例示的実施形態による方法では、結果の加重信号を生成するために、移行する無線トランシーバに関連する第１の重み調整されたデータ信号を、第１無線トランシーバに関連する第１データ信号と組み合わせることができる。第１の重み調整された信号を、第１重みを用いて調整することができ、第１重みは、移行期間中に徐々に減る。第２の結果の加重信号を生成するために、移行する無線トランシーバに関連する第２の重み調整されたデータ信号を、第２無線トランシーバに関連する第２データ信号と組み合わせることができる。第２の重み調整された信号を、第２重みを用いて調整することができる。第２重みは、移行期間中に徐々に増えることができる。移行する無線トランシーバが第１セクタから第２セクタに移行するまで、第１および第２の結果の加重信号を送信することができる。
【００２２】
本発明は、本明細書で下で与える詳細な説明および添付図面からより十分に理解されるようになり、添付図面では、類似する要素が、類似する符号によって表され、添付図面は、例示のしてのみ与えられ、本発明について限定的ではない。
【図面の簡単な説明】
【００２３】
【図１】従来の建物内通信ネットワークを示す図である。
【図２】例示的実施形態による建物内無線ネットワークを示す図である。
【図３】例示的実施形態による無線ディストリビュータ／アグリゲータ（ＲＤＡ）を示す機能ブロック図である。
【図４】例示的実施形態によるミキシング・モジュールを示すより詳細な機能ブロック図である。
【図５】例示的セクタ境界移行動作中のＧＳＭエアインターフェースをサポートするＲＲＨの例示的出力スペクトルを示す図である。
【図６】セクタ再構成を実行した後の例示的実施形態による建物内通信ネットワークを示す図である。
【発明を実施するための形態】
【００２４】
本発明のさまざまな例示的実施形態を、これから、本発明のいくつかの例示的実施形態が示された添付図面を参照して、より十分に説明する。図面では、レイヤおよび領域の厚さが、わかりやすくするために強調されている。
【００２５】
本発明の詳細な例示的実施形態を、本明細書で開示する。しかし、本明細書で開示される特定の構造的詳細および機能的詳細は、本発明の例示的実施形態を説明するための単なる代表である。しかし、本発明を、多数の代替形態で実施することができ、本明細書で示される実施形態だけに限定されると解釈してはならない。
【００２６】
したがって、本発明の例示的実施形態は、さまざまな変更および代替形態が可能であり、その実施形態は、図面に例として示され、本明細書で詳細に説明される。しかし、本発明の例示的実施形態を開示される特定の形態に限定することは意図されておらず、逆に、本発明の例示的実施形態は、本発明の範囲に含まれるのすべての変更、同等物、および代替物を含む。類似する符号は、図面の説明全体を通じて類似する要素を指す。
【００２７】
用語第１、第２などが、本明細書でさまざまな要素を説明するのに使用される場合があるが、これらの要素が、これらの用語によって限定されないことを理解されたい。これらの用語は、ある要素を別の要素から区別するためにのみ使用される。たとえば、本発明の例示的実施形態の範囲から逸脱せずに、第１要素を第２要素と呼ぶことができ、同様に、第２要素を第１要素と呼ぶことができる。本明細書で使用される時に、用語「および／または」は、関連してリストされるアイテムのうちの１つまたは複数の任意のすべての組合せを含む。
【００２８】
要素が別の要素に「接続される」または「結合される」と言われるときに、これを、他方の要素に直接に接続しまたは結合することができ、あるいは、介在する要素が存在することができることを理解されたい。対照的に、ある要素が別の要素に「直接に接続される」または「直接に結合される」と言われるときには、介在する要素は存在しない。要素の間の関係を記述するのに使用される他の単語は、類似する形で解釈されなければならない（たとえば、「間に」対「間に直接に」、「隣接する」対「直接に隣接する」など）。
【００２９】
本明細書で使用される用語法は、特定の実施形態を説明するためのみのものであって、本発明の例示的実施形態について限定的であることは意図されていない。本明細書で使用される時に、単数形「ａ」、「ａｎ」、および「ｔｈｅ」は、文脈がそうではないと明瞭に示さない限り、複数形をも含むことが意図されている。用語「含む（ｃｏｍｐｒｉｓｅｓ、ｃｏｍｐｒｉｓｉｎｇ、ｉｎｃｌｕｄｅｓ、および／またはｉｎｃｌｕｄｉｎｇ）」は、本明細書で使用される時に、述べられた特徴、整数、ステップ、動作、要素、および／またはコンポーネントの存在を指定するが、１つまたは複数の他の特徴、整数、ステップ、動作、要素、コンポーネント、および／またはそのグループの存在または追加を除外しない。
【００３０】
また、いくつかの代替実施態様で、注記された機能／行為が、図面に記された順序から外れて発生する可能性があることにも留意されたい。たとえば、連続して示される２つの図が、実際には、用いられる機能性／行為に依存して、実質的に同時に実行される場合があり、時々逆の順序で実行される場合がある。
【００３１】
例示的実施形態を、図２に示された通信ネットワークの構造に関して説明する。しかし、例示的実施形態は、他の通信ネットワークに適用可能とすることができる。下で使用される場合に、用語「モバイル・ユニット」は、ユーザ、移動局、モバイル、モバイル・ユーザ、ユーザ機器（ＵＥ）、加入者、リモート・ステーション、アクセス端末、受信器などと同義と考えることができ、ポータブル無線通信デバイスを説明することができる。用語「基地局」は、基地トランシーバ局（ＢＴＳ）、ＮｏｄｅＢと同義と考えることができ、ネットワークと１つまたは複数のユーザとの間でデータおよび／または音声接続性を提供する機器を説明することができる。
【００３２】
例示的実施形態を、本明細書で、適切なコンピューティング環境内で実施されるものとして説明する。必要ではないが、例示的実施形態を、１つまたは複数のコンピュータ・プロセッサまたはＣＰＵによって実行される、プログラム・モジュールなどのコンピュータ実行可能命令の全般的文脈で説明する。一般に、プログラム・モジュールは、特定のタスクを実行するか特定の抽象データ型を実施する、ルーチン、プログラム、オブジェクト、コンポーネント、データ構造などを含む。本明細書で述べるプログラム・モジュールは、既存ハードウェアを使用して既存通信ネットワーク内で実施することができる。
【００３３】
例示的実施形態を、通信ネットワークを介してリンクされたリモート処理デバイスによってタスクが実行される分散コンピューティング環境内で実践することもできる。分散コンピューティング環境内では、プログラム・モジュールを、ローカルとリモートとの両方のメモリ・ストレージ・デバイスに配置することができる。
【００３４】
次の説明では、そうではないと示されない限り、例示的実施形態を、１つまたは複数のプロセッサによって実行される行為または動作の記号表現を参照して説明する。したがって、時々コンピュータ実行されると言われるそのような行為および動作が、構造化された形でデータを表す電気信号のプロセッサによる操作を含むことを理解されたい。この操作は、データを変換するか、これをコンピュータのメモリ・システム内の位置で維持し、この変換または維持は、当業者によって十分に理解される形でコンピュータの動作を再構成し、または他の形で変更する。
【００３５】
データが維持されるデータ構造は、データのフォーマットによって定義される特定のプロパティを有するメモリの物理的位置である。しかし、例示的実施形態を前述の文脈で説明するが、限定的であることは意図されていない。というのは、下で説明するさまざまな行為および動作をハードウェアで実施することもできることを当業者が了解するからである。
【００３６】
上で述べたように、ある種の状況で、変化するユーザ・トラフィック密度に合わせるために建物内通信システムの異なるセクタのカバレージを動的に変更することが望ましい場合がある。たとえば、ホット・スポットが、単一のセクタに属するＲＲＨのグループによってカバーされるあるエリアにまたがって展開される時に、そのグループ内のＲＲＨの一部を再構成して、別のセクタに参加させて、トラフィック負荷をセクタの間でより均等に分配することができる。例示的実施形態を使用すると、建物内通信ネットワークのセクタを、第１セクタと第２セクタとの間で１つまたは複数のＲＲＨを移行させることによって、よりスムーズに再構成することができる。
【００３７】
図２に、例示的実施形態による建物内通信ネットワークを示す。図２のネットワークでは、基地トランシーバ局（ＢＴＳ）１００は、図１に関して上で述べたＢＴＳ１０と同一とすることができる。さらに、ＢＴＳ１００以外の、図２に示された建物内通信ネットワークのコンポーネントは、図１に示されたネットワーク内の対応するコンポーネントに類似する機能性を有することができる。さらに、これらのコンポーネントは、本明細書で説明する追加の機能性を有することができる。
【００３８】
図２を参照すると、１つの例示的実施形態で、ＢＴＳ１００は、たとえばＲＲＨ２１１〜２１５に関連する負荷測定値に基づいて、セクタ再構成が必要であると判定することができる。負荷測定値は、任意の適切な形でとることができる。例示的実施形態を、セクタ再構成が必要であると判定するＢＴＳ１００に関して本明細書で説明するが、この判定は、いくつかのネットワーク要素、たとえば、基地局インターフェース（ＢＳＩ）１０２Ａ、１０４Ｂ、無線ディストリビュータ／アグリゲータ（ＲＤＡ）２１０、および／またはリモート無線ヘッド（ＲＲＨ）２１１〜２１５で行うことができる。いくつかの実例で、ＲＲＨを、「無線トランシーバ」と呼ぶこともできる。
【００３９】
セクタ再構成が必要であると判定する時に、ＢＴＳ１００は、セクタＡおよびＢのそれぞれに関連する加重和信号のアップリンクおよびダウンリンクの送信を開始することができる。加重和信号のアップリンクおよびダウンリンクの送信は、「移行期間」と称する時間期間の間に継続されるものとすることができる。加重和信号のアップリンクおよびダウンリンクの送信を、ネットワーク・オペレータによる人間の介入を伴ってまたはこれを伴わずに開始し、かつ／または実行することができる。
【００４０】
例示的実施形態によれば、移行期間の長さは、ハンドオフが発生するために必要な時間に基づいて判定することができる。当技術分野で周知のとおり、ハンドオフは、数百ミリ秒程度を要する場合がある。その結果、移行期間は、たとえば、少なくとも数秒程度とすることができる。
【００４１】
例示的実施形態を、これから、図２〜５に関して、およびＲＲＨ２１３がセクタＡからセクタＢに移行する上で説明した移行期間中に行われるアップリンクおよびダウンリンクの通信に関して、より詳細に説明する。したがって、ＲＲＨ２１３は、時々、本明細書で移行するＲＲＨ２１３と呼ばれる場合がある。例示的実施形態を、本明細書では単一の移行するＲＲＨ２１３に関して説明するが、任意の個数のＲＲＨが同時に移行することができる。さらに、例示的実施形態では、用語「データ・パケット」または「複数のデータ・パケット」を、「データ・パケット・ストリーム」と同義と考えることができ、時々「データ・パケット・ストリーム」と称する。
【００４２】
移行の間のダウンリンク通信
図２を参照すると、ダウンリンク（たとえば、ＢＴＳ１００からモバイル・ユニット２１９などのモバイル・ユニットへ）では、ＢＴＳ１００からの無線信号が、基地局インターフェース（ＢＳＩ）１０２Ａおよび１０４Ｂで受信される。一例では、ＢＳＩ１０２Ａは、ＢＴＳ１００の第１セクタ（または第１アンテナ）から無線信号を受信することができ、ＢＳＩ１０４Ｂは、ＢＴＳ１００の第２セクタ（または第２アンテナ）から無線信号を受信することができる。
【００４３】
ＢＳＩ１０２Ａは、受信した無線信号を処理して、セクタＡ宛のダウンリンク・データ信号（以下では、ダウンリンク・セクタＡデータ信号と称する）を生成する。
【００４４】
ＢＳＩ１０４Ｂは、受信した無線信号を処理して、セクタＢ宛のダウンリンク・データ信号（以下では、ダウンリンク・セクタＢデータ信号と称する）を生成する。
【００４５】
ＢＳＩ１０２Ａは、ダウンリンク・セクタＡデータ信号をパケット化して、セクタＡに対応する宛先アドレスを有するデータ・パケット（以下ではダウンリンク・セクタＡデータ・パケットと称する）を生成する。ＢＳＩ１０２Ａは、ダウンリンク・セクタＡデータ・パケットを高速データ・ネットワーク（たとえば、ギガビット・イーサネット・ネットワーク）を介して無線ディストリビュータ／アグリゲータ（ＲＤＡ）２１０に送信する。
【００４６】
ＢＳＩ１０４Ｂは、ダウンリンク・セクタＢデータ信号をパケット化して、セクタＢに対応する宛先アドレスを有するデータ・パケット（以下ではダウンリンク・セクタＢデータ・パケットと称する）を生成する。ＢＳＩ１０４Ｂは、ダウンリンク・セクタＢデータ・パケットを高速データ・ネットワークを介してＲＤＡ２１０に送信する。
【００４７】
ＲＤＡ２１０は、ダウンリンク・セクタＡデータ・パケットをセクタＡ内のモバイル・ユニットへの送信のためにＲＲＨ２１１および２１２に送信することができ、ダウンリンク・セクタＢデータ・パケットをセクタＢ内のモバイル・ユニットへの送信のためにＲＲＨ２１４および２１５に送信することができる。ＲＤＡ２１０は、ダウンリンク・セクタＡデータ・パケットおよびダウンリンク・セクタＢデータ・パケットに基づいて、ダウンリンク加重和信号を含むダウンリンク加重和データ・パケットを生成することもできる。ダウンリンク加重和データ・パケットを、高速データ・ネットワークを介してＲＲＨ２１３に送信することができる。
【００４８】
ＲＲＨ２１１〜２１５は、上で説明したＲＲＨ１１１〜１１５と同一の形で、受信したデータ・パケットを処理することができる。
【００４９】
図３に、ＲＤＡ２１０の機能ブロック図をより詳細に示す。図示されているように、ＲＤＡ２１０は、複数のＲＤＡモジュール２１０−１〜２１０−５およびミキシング・モジュール２１０−６を含むことができる。
【００５０】
図２および３を参照すると、ＢＳＩ１０２Ａからのダウンリンク・セクタＡデータ・パケットを、ＲＤＡモジュール２１０−１に入力することができ、ＢＳＩ１０４Ｂからのダウンリンク・セクタＢデータ・パケットを、ＲＤＡモジュール２１０−２に入力することができる。
【００５１】
ＲＤＡモジュール２１０−１は、パケットごとにダウンリンク・セクタＡデータ・パケットを複製することができ、各複製されたダウンリンク・セクタＡデータ・パケットの第１コピーをＲＤＡモジュール２１０−３に転送することができる。ＲＤＡモジュール２１０−１は、各ダウンリンク・セクタＡデータ・パケットの第２コピーを処理して、ダウンリンク・セクタＡデータ信号を回復することができる。ＲＤＡモジュール２１０−１は、回復されたダウンリンク・セクタＡデータ信号をミキシング・モジュール２１０−６に転送することができる。
【００５２】
ＲＤＡモジュール２１０−１に似て、ＲＤＡモジュール２１０−２は、パケットごとにダウンリンク・セクタＢデータ・パケットを複製することができ、各ダウンリンク・セクタＢデータ・パケットの第１コピーをＲＤＡモジュール２１０−５に転送することができる。ＲＤＡモジュール２１０−２は、各ダウンリンク・セクタＢデータ・パケットの第２コピーを処理して、ダウンリンク・セクタＢデータ信号を回復することができる。ＲＤＡモジュール２１０−２は、回復されたダウンリンク・セクタＢデータ信号をミキシング・モジュール２１０−６に転送することができる。
【００５３】
本明細書ではパケットごとに実行されるものとして述べられるが、ＲＤＡモジュール２１０−１および２１０−２は、バッファを利用することもできる。たとえば、ＲＤＡモジュール２１０−１が、複製および処理の前に、受信されたダウンリンク・セクタＡデータ・パケットをバッファリングすることができる。
【００５４】
さらに図３を参照すると、ＲＤＡモジュール２１０−３は、ダウンリンク・セクタＡデータ・パケットを、高速データ・ネットワークを介して関連するＲＲＨ２１１および２１２に送信する。ＲＲＨ２１１および２１２は、受信したダウンリンク・セクタＡデータ・パケットをバッファリングして、ジッタを除去することができる。ＲＲＨ２１１および２１２は、バッファリングされたダウンリンク・セクタＡデータ・パケットを処理して、ダウンリンク・セクタＡデータ信号を入手し、ダウンリンク・セクタＡデータ信号を、図１に示されたＲＲＨ１１１および１１２と同一の形でユーザに送信することができる。
【００５５】
ＲＤＡモジュール２１０−３に似た形で、ＲＤＡモジュール２１０−５は、ダウンリンク・セクタＢデータ・パケットを高速データ・ネットワークを介して関連するＲＲＨ２１４および２１５に送信する。ＲＲＨ２１４および２１５は、受信したダウンリンク・セクタＢデータ・パケットをバッファリングして、ジッタを除去することができる。ＲＲＨ２１４および２１５は、バッファリングされたダウンリンク・セクタＢデータ・パケットを処理して、ダウンリンク・セクタＢデータ信号を入手し、ダウンリンク・セクタＢデータ信号を、図１に示されたＲＲＨ１１４および１１５と同一の形でユーザに送信することができる。
【００５６】
さらに図３を参照すると、ミキシング・モジュール２１０−６は、ダウンリンク・セクタＡデータ信号およびダウンリンク・セクタＢデータ信号に基づいて、ダウンリンク加重和データ信号を生成する。ダウンリンク加重和データ信号は、ＲＤＡモジュール２１０−４に出力される。ＲＤＡモジュール２１０−４は、セクタＡからセクタＢへ移行するＲＲＨ２１３に対応する。ＲＤＡモジュール２１０−４は、ダウンリンク加重和データ信号をバッファリングし、パケット化して、ダウンリンク加重和データ・パケットを生成する。ＲＤＡモジュール２１０−４は、ＢＳＩ１０２Ａおよび１０４Ｂと同一のまたは実質的に同一のプロセスを使用して、ダウンリンク加重和データ信号をバッファリングし、パケット化することができる。ＲＤＡ２１０−４は、加重和データ・パケットを高速データ・ネットワークを介してＲＲＨ２１３に送信することができる。
【００５７】
ＲＲＨ２１３は、上で述べたＲＲＨ２１１、２１２、２１４、および／または２１５と同一の形で加重和データ・パケットをバッファリングし、処理することができ、入手した加重和データ信号をアンテナを介して無線で関連するモバイル・ユニットにブロードキャストすることができる。
【００５８】
ミキシング・モジュール２１０−６でのより詳細な例示的ダウンリンク動作を、ミキシング・モジュール２１０−６をより詳細に示す図４に関して説明する。
【００５９】
図４を参照すると、ミキシング・モジュール２１０−６は、ダウンリンク利得モジュール４０６、４０８、および加算器（ｓｕｍｍｅｒ）４１２を含むことができる。２つの利得モジュールだけが図４に示されているが、ミキシング・モジュール２１０−６は、任意の個数の利得モジュールを含むことができる。
【００６０】
上で述べた例によれば、ＲＤＡ２１０−１からのダウンリンク・セクタＡデータ信号を、利得モジュール４０６に入力することができ、ＲＤＡモジュール２１０−２からのダウンリンク・セクタＢデータ信号を、利得モジュール４０８に入力することができる。
【００６１】
利得モジュール４０６は、第１利得パラメータを用いてダウンリンク・セクタＡデータ信号をスケーリングし、利得調整された（または重み付けされた）セクタＡデータ信号を加算器４１０に出力することができる。同様に、利得モジュール４０８は、第２利得パラメータを用いてダウンリンク・セクタＢデータ信号をスケーリングし、利得調整された（または重み付けされた）セクタＢデータ信号を加算器４１０に出力することができる。
【００６２】
加算器４１２は、重み付けされたセクタＡデータ信号およびセクタＢデータ信号を合計し（または組み合わせ）て、結果の加重和データ信号を生成する。重み付けされたセクタＡデータ信号およびセクタＢデータ信号は、任意の周知の形で組み合わせることができる。
【００６３】
例示的実施形態によれば、第１利得パラメータおよび第２利得パラメータを、移行期間中に経時的に調整する（たとえば、スムーズに調整する）ことができる。すなわち、たとえば、移行期間中に、第１利得パラメータおよび第２利得パラメータを、ダウンリンク・セクタＡデータ信号の強さが減り、ダウンリンク・セクタＢデータ信号の強さが増えるように調整することができる。すなわち、たとえば、利得モジュール４０６によって適用される第１重みパラメータまたは第１利得パラメータを、第１（たとえば最大）値から第２（たとえば最小）値へ移行期間中に経時的に徐々に減らすことができ、利得モジュール４０８によって適用される第２重みパラメータまたは第２利得パラメータを、第３（たとえば最小）値から第４（たとえば最大）値へ移行期間中に経時的に徐々に増やすことができる。第１利得パラメータおよび第２利得パラメータの傾きは、時間に関して線形または時間に関して対数線形（たとえば、カットオフを伴う）とすることができる。
【００６４】
少なくとも１つの例示的実施形態では、第１および第４の値を等しいものとすることができ、第２および第３の値を等しいものとすることができる。
【００６５】
図５に、移行期間中の、たとえばＲＲＨ２１３（ＧＳＭエアインターフェースをサポートする）のより特定の例示的出力スペクトルを示す。
【００６６】
図５を参照すると、ＳＡというラベルを付けられた矢印は、図２のセクタＡからの搬送波を表し、ＳＢというラベルを付けられた矢印は、セクタＢからの搬送波を表す。矢印ＳＡおよびＳＢの位置は、搬送波周波数を示し、矢印の高さは、搬送波（または信号）強度を示す。図２に戻って、たとえば、ＲＲＨ２１３がセクタＡからセクタＢに移行する時に、セクタＡに関連するデータ信号（たとえば、図５の矢印ＳＡ）の搬送波強度は、経時的に減少し（図５では左から右に進行する）、セクタＢに関連するデータ信号（たとえば、図５の矢印ＳＢ）の搬送波強度は、時間に従って増加する。
【００６７】
推移の間のアップリンク通信
戻って図３を参照して、モバイル・ユニットとＢＴＳ１００との間の、ＲＲＨ２１３がセクタＡからセクタＢに移行する移行期間中の例示的アップリンク通信を説明する。
【００６８】
このアップリンク通信の例では、ＲＲＨ２１１〜２１２は、セクタＡ内のモバイル・ユニットから送信されたデータ信号（以下では、アップリンク・セクタＡデータ信号と称する）を受信する。ＲＲＨ２１４〜２１５は、セクタＢ内のモバイル・ユニットから送信されたデータ信号（以下では、アップリンク・セクタＢデータ信号と称する）を受信する。
【００６９】
ＲＲＨ２１１および２１２のそれぞれは、受信したアップリンク・セクタＡデータ信号を組み合わせて、結果のアップリンク・セクタＡデータ信号を生成する。ＲＲＨ２１１および２１２のそれぞれで、結果のアップリンク・セクタＡデータ信号は、従来技術に関して上で述べたものと同一の形でバッファリングされ、パケット化されて、アップリンク・セクタＡデータ・パケットを生成する。ＲＲＨ２１１および２１２は、アップリンク・セクタＡデータ・パケットを、高速データ・ネットワークを介して対応するＲＤＡモジュール２１０−３に送信する。ＲＤＡモジュール２１０−３は、受信したアップリンク・セクタＡデータ・パケットをバッファリングし、処理して、ＲＲＨ２１１および２１２のそれぞれからの結果のアップリンク・セクタＡデータ信号を回復する。ＲＤＡモジュール２１０−３は、回復された結果のアップリンク・セクタＡデータ信号を組み合わせて、第２の結果のアップリンク・セクタＡデータ信号を生成する。ＲＤＡモジュール２１０−３は、第２の結果のアップリンク・セクタＡデータ信号をＲＤＡモジュール２１０−１に転送する。
【００７０】
ＲＲＨ２１４および２１５のそれぞれが、受信したアップリンク・セクタＢデータ信号を組み合わせて、結果のアップリンク・セクタＢデータ信号を生成する。ＲＲＨ２１４および２１５のそれぞれで、結果のアップリンク・セクタＢデータ信号は、従来技術に関して上で述べたものと同一の形でバッファリングされ、パケット化されて、アップリンク・セクタＢデータ・パケットを生成する。ＲＲＨ２１４および２１５は、アップリンク・セクタＢデータ・パケットを、高速データ・ネットワークを介して対応するＲＤＡモジュール２１０−５に送信する。ＲＤＡモジュール２１０−５は、受信したアップリンク・セクタＢデータ・パケットをバッファリングし、処理して、ＲＲＨ２１４および２１５のそれぞれからの結果のアップリンク・セクタＢデータ信号を回復する。ＲＤＡモジュール２１０−５は、回復された結果のアップリンク・セクタＢデータ信号を組み合わせて、第２の結果のアップリンク・セクタＢデータ信号を生成する。ＲＤＡモジュール２１０−５は、第２の結果のアップリンク・セクタＢデータ信号をＲＤＡモジュール２１０−２に転送する。
【００７１】
上で注記したように、移行期間中に、ＲＲＨ２１３は、セクタＡからセクタＢに移行しつつある。しかし、それにかかわりなく、ＲＲＨ２１３は、移行の前、間、または後に、そのカバレージの下のモバイル・ユニットによって送信されたデータ信号を受信し続ける。移行の前に、データ信号は、セクタＡのアップリンク信号に組み合わされる（たとえば、ＲＤＡモジュール２１０で）。移行の後に、信号は、セクタＢのアップリンク信号に組み合わされる（たとえば、ＲＤＡ２１０で）。移行期間中に、データ信号は、変化する重みを伴ってセクタＡとセクタＢとの両方のアップリンク信号に組み合わされる（たとえば、ＲＤＡ２１０で）。説明を明瞭にするために、ＲＲＨ２１３によってサービスされるユーザから受信されたデータ信号を、本明細書ではアップリンク・セクタＡ−Ｂデータ信号と称する。
【００７２】
さらに図３を参照すると、ＲＲＨ２１３は、アップリンク・セクタＡ−Ｂデータ信号を組み合わせて、結果のアップリンク・セクタＡ−Ｂデータ信号を生成する。その後、結果のアップリンク・セクタＡ−Ｂデータ信号は、従来技術に関して上述べたものと同一の形でバッファリングされ、パケット化されて、アップリンク・セクタＡ−Ｂデータ・パケットを生成する。ＲＲＨ２１３は、アップリンク・セクタＡ−Ｂデータ・パケットを高速データ・ネットワークを介して対応するＲＤＡモジュール２１０−４に送信する。
【００７３】
ＲＤＡモジュール２１０−４は、受信したアップリンク・セクタＡ−Ｂデータ・パケットを処理して、結果のアップリンク・セクタＡ−Ｂデータ信号を、たとえばパケットごとに、回復する。回復された結果のアップリンク・セクタＡ−Ｂデータ信号は、ミックス・モジュール２１０−６に転送される。
【００７４】
ミックス・モジュール２１０−６は、結果のアップリンク・セクタＡ−Ｂデータ信号を複製し、利得調整して、ＲＤＡモジュール２１０−１および２１０−２のそれぞれに出力される加重セクタＡ−Ｂデータ信号を生成する。次に、ミキシング・モジュール２１０−６は、加重セクタＡ−Ｂデータ信号をＲＤＡ２１０−１および２１０−２に同時に出力する。ミキシング・モジュール２１０−６が加重セクタＡ−Ｂデータ信号を生成する形のより具体的な例は、図４に関して説明する。上で述べたように、図４は、図３のミキシング・モジュール２１０−６のより詳細な図である。
【００７５】
図４をもう一度参照すると、ダウンリンク・コンポーネントの他に、ミキシング・モジュール２１０−６は、レプリケータ４１０と、アップリンク利得モジュール４０２および４０４とを含むことができる。
【００７６】
この例では、ＲＤＡモジュール２１０−４からの結果のアップリンク・セクタＡ−Ｂデータ信号を、レプリケータ４１０で複製して、ＢＳＩ１０２Ａ宛の第１アップリンク・セクタＡ−Ｂデータ信号およびＢＳＩ１０４Ｂ宛の第２アップリンク・セクタＡ−Ｂデータ信号を生成することができる。第１アップリンク・セクタＡ−Ｂデータ信号および第２アップリンク・セクタＡ−Ｂデータ信号を、同一の信号とすることができる。第１アップリンク・セクタＡ−Ｂデータ信号を、アップリンク利得モジュール４０２に出力することができ、第２アップリンク・セクタＡ−Ｂデータ信号を、アップリンク利得モジュール４０４に出力することができる。
【００７７】
アップリンク利得モジュール４０２は、上で説明した第１利得パラメータを使用して第１アップリンク・セクタＡ−Ｂデータ信号を利得調整し、または重み付けすることができる。アップリンク利得モジュール４０４は、上で説明した第２利得パラメータを使用して第２アップリンク・セクタＡ−Ｂデータ信号を利得調整し、または重み付けすることができる。アップリンク利得モジュール４０２および４０４は、上で説明したダウンリンク利得モジュール４０６および４０８と同一のまたは実質的に同一の形で、めいめいの第１および第２のアップリンク・セクタＡ−Ｂデータ信号を利得調整することができる。第１および第２の利得パラメータは、ダウンリンクに関して上で述べた第１および第２の利得パラメータと同一または実質的に同一とすることができるので、詳細な議論は、説明を簡単にするために省略する。さらに、アップリンク利得モジュール４０２および４０４は、ダウンリンク利得モジュール４０６および４０８と同一のまたは実質的に同一の形で動作することができるので、詳細な議論は、やはり、説明を単純にするために省略する。
【００７８】
さらに図４を参照すると、加重第１アップリンク・セクタＡ−Ｂデータ信号を、ＲＤＡモジュール２１０−１に出力することができ、加重第２アップリンク・セクタＡ−Ｂデータ信号を、ＲＤＡモジュール２１０−２に出力することができる。
【００７９】
戻って図３を参照すると、ＲＤＡモジュール２１０−１は、ＲＤＡモジュール２１０−３からの結果のアップリンク・セクタＡデータ信号をバッファリングし、周知の形で加重第１セクタＡ−Ｂデータ信号と組み合わせて（加重第１セクタＡ−Ｂデータ信号をアップリンク・セクタＡデータ信号として扱って）、第１加重アップリンク・データ信号を生成することができる。次に、ＲＤＡモジュール２１０−１は、第１加重アップリンク・データ信号をパケット化し、結果のデータ・パケットを高速データ・ネットワークを介してＢＳＩ１０２Ａに出力することができる。ＢＳＩ１０２Ａは、受信したデータ・パケットを処理して、第１加重アップリンク・データ信号を回復することができ、第１加重アップリンク・データ信号をＢＳＩ１２Ａと同一の形でＢＴＳ１００に送信する。
【００８０】
ＲＤＡモジュール２１０−２は、ＲＤＡモジュール２１０−５からの結果のアップリンク・セクタＢデータ信号をバッファリングし、周知の形で加重第２セクタＡ−Ｂデータ信号と組み合わせて（加重第２セクタＡ−Ｂデータ信号をアップリンク・セクタＢデータ信号として扱って）、第２加重アップリンク・データ信号を生成する。次に、ＲＤＡモジュール２１０−２は、第２加重アップリンク・データ信号をパケット化し、結果のデータ・パケットを高速データ・ネットワークを介してＢＳＩ１０４Ｂに出力することができる。ＢＳＩ１０４Ｂは、受信したデータ・パケットを処理して、第２加重アップリンク・データ信号を回復することができ、第２加重アップリンク・データ信号をＢＳＩ１４Ｂ同一の形でＢＴＳ１００に送信する。
【００８１】
上で説明したミキシング・モジュール２１０−６を含むアップリンク送信動作およびダウンリンク送信動作は、移行期間が終了するまで継続することができる。移行期間の終りに、ミキシング・モジュール２１０−６によって実行されるミキシング動作を、省略することができる。
【００８２】
説明を単純にするために、図６に、ＲＲＨ２１３がセクタＡからセクタＢに移行した後の図２のネットワークを示す。図５および６を参照すると、図６は、セクタＡからの信号の搬送波強度が０（または０にされる）であり、セクタＢからの信号の搬送波強度が最大値（たとえば、セクタＢヘ／からの信号の１００％搬送波強度が送信／受信される）である、図５の右側に対応するセクタ構成を示す。
【００８３】
図４は、ＲＤＡ２１０が複数のＲＤＡモジュールを含み、ＲＲＨおよびＢＳＩがそこから分離される特定の例示的実施形態を示すが、他の物理実施態様が可能である。たとえば、ＲＲＨは、ＲＲＨ機能だけを実施することができ、あるいは、ＲＲＨ機能およびＲＤＡ機能を含むことができる。ＢＳＩは、ＢＳＩ機能を実施することができ、あるいは、ＢＳＩ機能およびミックス機能を含むことができる。ＲＤＡは、信号の分配だけを実施することができ、あるいは、アップリンク組合せおよび／またはダウンリンク組合せを含むＲＤＡ機能を実施することができる。
【００８４】
例示的実施形態によるネットワークが、ＣＤＭＡ／ＵＭＴＳエアインターフェースをサポートする時に、セクタＡおよびＢは、同一の帯域幅を用いて同一の周波数で動作することができる。ミックス・モジュール２１０−６によって形成されるダウンリンク信号も、同一周波数で同一帯域幅を有するものとすることができる。したがって、追加の機能は、この特徴をサポートするためにＲＲＨに要求されない。同様に、アップリンクで、ＢＳＩは、この特徴をサポートするために変更される必要がない。
【００８５】
ＧＳＭなどのＴＤＭＡエアインターフェースについて、セクタＡおよびＢは、搬送波の異なるセットを使用する場合がある。セクタＡおよびＢからの信号が組み合わされる時に、結果の信号は、オリジナル信号のいずれよりも多数の搬送波を含む。例示的実施形態が、そのような形で実施される場合に、基地局が動作するフル帯域幅がＲＲＨでトランスポートされ、送信される場合に、システムは、サポートされる帯域幅内で何個の搬送波が実際にあるかを心配する必要はない。ミックス機能が、前に説明したものと同一の形で動作することができる。
【００８６】
例示的実施形態によれば、加重和関数は、ＲＤＡ内またはＢＳＩで実行することができる（たとえば、両方のセクタの基地局インターフェースが、物理的に同一の回路基板に統合される場合）。ＢＳＩで実行される場合に、新しい仮想ＬＡＮを作成して、結果のアップリンク信号およびダウンリンク信号を搬送することができる。移行するＲＲＨに、結果の信号を送信し、受信するために新しい仮想ＬＡＮを割り当てることができる。
【００８７】
本発明を説明してきたが、本発明を多数の形で変更できることは明白である。そのような変更は、本発明からの逸脱とは見なされるべきではなく、そのような変更のすべてが、本発明の範囲に含まれることが意図されている。
【図１】
0005362042.tif 000002
【図２】
0005362042.tif 000003
【図３】
0005362042.tif 000004
【図４】
0005362042.tif 000005
【図５】
0005362042.tif 000006
【図６】
0005362042.tif 000007